(57)【要約】【課題】バイオガス中のシロキサン濃度を、リアルタイムに精度よく連続的に分析することのできる分析装置および該装置を用いたシロキサンの分析方法を提供する。【解決手段】シロキサン含有ガス中のシロキサン濃度を分析する赤外線シロキサン分析装置であって、波数１２５０ｃｍ−１〜７７０ｃｍ−１の赤外線のみを通過させる光学フィルターを有することを特徴とする非分散型赤外線シロキサン分析装置；ならびに、該分析装置を用いてシロキサン含有バイオガス中のシロキサン濃度を連続的にモニタリングすることを特徴とするシロキサンの分析方法。【選択図】  図１
2006098387.tif 000002
【特許請求の範囲】
【請求項１】
シロキサン含有ガス中のシロキサン濃度を分析する赤外線シロキサン分析装置であって、波数１２５０ｃｍ−１〜７７０ｃｍ−１の赤外線のみを通過させる光学フィルターを有することを特徴とする非分散型赤外線シロキサン分析装置。
【請求項２】
シロキサン含有ガスがシロキサン含有バイオガスであることを特徴とする請求項１に記載の非分散型赤外線シロキサン分析装置。
【請求項３】
ＢａＦ２からなる光学フィルターにより波数７７０ｃｍ−１未満の赤外線を吸収することを特徴とする請求項１または２に記載の非分散型赤外線シロキサン分析装置。
【請求項４】
フィルターサイズ１０μｍ以下の浮遊微粒子除去用ガスフィルターを試料ガス導入口の前に装着したことを特徴とする請求項１〜３のいずれかに記載の非分散型赤外線シロキサン分析装置。
【請求項５】
バイオガス中の二酸化炭素濃度を分析する装置を有することを特徴とする請求項１〜４のいずれかに記載の非分散型赤外線シロキサン分析装置。
【請求項６】
二酸化炭素濃度を分析する装置が赤外分析装置であることを特徴とする請求項５に記載の非分散型赤外線シロキサン分析装置。
【請求項７】
バイオガス中の水分量を分析する装置を有することを特徴とする請求項１〜６に記載の非分散型赤外線シロキサン分析装置。
【請求項８】
バイオガス中の水分量を一定量にする除湿機を試料ガス導入口の前に装着したことを特徴とする請求項１〜６に記載の非分散型赤外線シロキサン分析装置。
【請求項９】
シロキサンを吸着する吸着材を充填したフィルターを試料ガス導入口の前に装着したことを特徴とする請求項１〜８のいずれかに記載の非分散型赤外線シロキサン分析装置。
【請求項１０】
波数１２５０ｃｍ−１〜７７０ｃｍ−１の赤外線の吸収を検出する装置および波数８５０ｃｍ−１〜７７０ｃｍ−１の赤外線の吸収を検出する装置を有することを特徴とする請求項１〜９のいずれかに記載の非分散型赤外線シロキサン分析装置。
【請求項１１】
シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、バイオガス中の二酸化炭素濃度及び水分量の少なくとも一方を分析する装置を有することを特徴とする非分散型赤外線シロキサン分析装置。
【請求項１２】
シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、バイオガス中の水分量を一定量にする除湿機を試料ガス導入口の前に装着したことを特徴とする非分散型赤外線シロキサン分析装置。
【請求項１３】
バイオガス中の二酸化炭素濃度を分析する装置を有することを特徴とする請求項１２に記載の非分散型赤外線シロキサン分析装置。
【請求項１４】
シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、シロキサンを吸着する吸着材を充填したフィルターを試料ガス導入口の前に装着したことを特徴とする非分散型赤外線シロキサン分析装置。
【請求項１５】
バイオガス中の二酸化炭素濃度及び水分量の少なくとも一方を分析する装置を有することを特徴とする請求項１４に記載の非分散型赤外線シロキサン分析装置。
【請求項１６】
バイオガス中の水分量を一定量にする除湿機を試料ガス導入口の前に装着したことを特徴とする請求項１４又は１５に記載の非分散型赤外線シロキサン分析装置。
【請求項１７】
請求項１〜１６のいずれかに記載の非分散型赤外線シロキサン分析装置を用いてシロキサン含有バイオガス中のシロキサン濃度を連続的にモニタリングすることを特徴とするシロキサンの分析方法。
【請求項１８】
請求項１０に記載の非分散型赤外線シロキサン分析装置を用いて分析した波数１２５０ｃｍ−１〜７７０ｃｍ−１の赤外線の吸収量および波数８５０ｃｍ−１〜７７０ｃｍ−１の赤外線の吸収量から、シロキサン含有バイオガス中の有機系シロキサン濃度および無機系シロキサン濃度を算出することを特徴とするシロキサンの分析方法。
【請求項１９】
請求項１〜１６のいずれかに記載の非分散型赤外線シロキサン分析装置において、シロキサン含有バイオガス中のシロキサン濃度の実測値を、同バイオガス中の二酸化炭素濃度及び水分量の少なくとも一方の値により補正することを特徴とするシロキサンの分析方法。
【発明の詳細な説明】
【技術分野】
【０００１】
本発明は、生物学的処理に際して発生するシロキサン含有バイオガスをエネルギー源として有効に利用するための、バイオガス中のシロキサンの分析装置および分析方法に関する。
【背景技術】
【０００２】
下水処理場、食品工場、ビール製造工場、家畜の飼育場等で生じる有機性廃棄物を生物学的に処理すると、メタンの他、二酸化炭素、水分、硫化水素等を含むバイオガスが発生する。
【０００３】
近年、かかるバイオガスをエネルギー源として有効利用するために、例えば下水処理施設では、集積した下水を濃縮処理して各種有機物を含有する汚泥を得て、これを微生物の作用により嫌気性消化し、この過程で得られたメタンを主とする可燃性ガス（消化ガス）を、ガスエンジンおよびガスタービン等の発電設備に供して電力を得る方式が主流となりつつある。
【０００４】
しかしながら、下水場の普及率向上や生活形態の変化に伴なって、シャンプーやリンス等の頭髪仕上げ剤、カーワックス等の撥水剤などの消費が増加し、これらに含有されているシロキサン化合物が下水中に多量に流下するようになってきた。
【０００５】
なお、シロキサン化合物とは、シロキサン結合（Ｓｉ−Ｏ−Ｓｉ）を基本骨格とした鎖状または環状構造の化合物をさす。鎖状化合物としては、例えば、メトキシトリメチルシラン、ジメトキシジメチルシラン、ヘキサメチルジシロキサン、オクタメチルトリシロキサン、デカメチルテトラシロキサン、およびドデカメチルペンタシロキサン等が挙げられ、環状化合物としては、例えばヘキサメチルシクロトリシロキサン（Ｄ３体）、オクタメチルシクロテトラシロキサン（Ｄ４体）、デカメチルシクロペンタシロキサン（Ｄ５体）、およびドデカメチルシクロヘキサシロキサン（Ｄ６体）などが挙げられる。ここに列挙した化合物は、化合物中の官能基がメチル基で構成されているが、メチル基に類する炭化水素基で置換された化合物、または水素の代わりにフッ素、塩素等で置換された化合物も含まれ、さらには分子量の大きい多重合化合物も存在する。
【０００６】
シロキサン化合物は、その多くは水に不溶であるために汚泥に吸着した形で下水中に存在するが、引き続いて行なわれる消化過程で消化ガス側に揮散する。すなわち、シロキサン化合物は、発電用の燃料ガスであるメタンとともに存在して、その後段のガスエンジンに流入する。ガスエンジンに流入したシロキサン化合物は、エンジン内の燃焼室でシリカ（ＳｉＯ２）となって、エンジン内のシリンダーヘッドやその他各部品に付着・析出する。その結果、エンジンを摩耗・劣化させてしまうという不具合を生じていた。
【０００７】
また、さらにガスエンジン等の発電設備を経たエンジン排ガスは、例えば窒素酸化物処理のため、脱硝触媒塔に導入されて処理されるが、この排ガス中にシリカ（ＳｉＯ２）が含まれているために、触媒の表面に排ガス中の粉体状シリカ（ＳｉＯ２）が析出する。粉体状シリカは、こうして触媒の表面を覆い、その一部は触媒の内部まで浸透してしまうため、触媒活性が劣化して所望の窒素酸化物除去が達成されないという不具合も生じていた。
【０００８】
これらの問題を解決するためには、シロキサンの濃度を分析して適切に処理する必要があり、そのための分析方法としては、例えば、シロキサンを溶媒に一旦吸収させた後にガスクロマトグラフィーにより分析する方法が知られている（非特許文献１参照）。
【０００９】
しかしながら、このような分析方法は、サンプリングが煩雑であり、また現場にて連続的に分析することが困難であった。さらに、数時間の平均の値しか得ることができなかった。このような状況のために、シロキサン化合物を含有している未処理のバイオガス中のシロキサン濃度、または処理後のバイオガス中のシロキサン濃度を、現場で実質的に連続的に分析し、その結果に基づいてバイオガス精製装置の運転諸元（例えば、シロキサン吸着処理剤の交換時期）を特定することがなされていなかった。そのため、十分な吸着性能が残存しているにもかかわらず、シロキサン吸着処理剤を廃棄または再生処理に供してしまうという不具合や、逆に、既にシロキサン吸着処理剤が破過に十分達しているにもかかわらず、運転を継続してしまい、上述のガスエンジンの摩耗・劣化等の問題を引き起こしてしまうといった危険性があった。
【００１０】
【非特許文献１】第３８回下水道研究発表会講演集，２００１年，ｐ．６９５−６９７
【発明の開示】
【発明が解決しようとする課題】
【００１１】
本発明の課題は、バイオガス中のシロキサン濃度を、リアルタイムに精度よく連続的に分析することのできる分析装置および該装置を用いたシロキサンの分析方法を提供することにある。
【課題を解決するための手段】
【００１２】
本発明者は、鋭意検討した結果、特定波数の赤外線を通過させる光学フィルターを有する非分散型赤外線シロキサン分析装置が、上記課題を解決し得ることを見出し、本発明を完成するに至った。
【００１３】
すなわち、本発明は、下記に示すとおりのシロキサン含有ガス中のシロキサンの分析装置および分析方法を提供するものである。
項１．  シロキサン含有ガス中のシロキサン濃度を分析する赤外線シロキサン分析装置であって、波数１２５０ｃｍ−１〜７７０ｃｍ−１の赤外線のみを通過させる光学フィルターを有することを特徴とする非分散型赤外線シロキサン分析装置。
項２．  シロキサン含有ガスがシロキサン含有バイオガスであることを特徴とする項１に記載の非分散型赤外線シロキサン分析装置。
項３．  ＢａＦ２からなる光学フィルターにより波数７７０ｃｍ−１未満の赤外線を吸収することを特徴とする項１または２に記載の非分散型赤外線シロキサン分析装置。
項４．  フィルターサイズ１０μｍ以下の浮遊微粒子除去用ガスフィルターを試料ガス導入口の前に装着したことを特徴とする項１〜３のいずれかに記載の非分散型赤外線シロキサン分析装置。
項５．  バイオガス中の二酸化炭素濃度を分析する装置を有することを特徴とする項１〜４のいずれかに記載の非分散型赤外線シロキサン分析装置。
項６．  二酸化炭素濃度を分析する装置が赤外分析装置であることを特徴とする項５に記載の非分散型赤外線シロキサン分析装置。
項７．  バイオガス中の水分量を分析する装置を有することを特徴とする項１〜６に記載の非分散型赤外線シロキサン分析装置。
項８．  バイオガス中の水分量を一定量にする除湿機を試料ガス導入口の前に装着したことを特徴とする項７に記載の非分散型赤外線シロキサン分析装置。
項９．  シロキサンを吸着する吸着材を充填したフィルターを試料ガス導入口の前に装着したことを特徴とする項１〜８のいずれかに記載の非分散型赤外線シロキサン分析装置。
項１０．  波数１２５０ｃｍ−１〜７７０ｃｍ−１の赤外線の吸収を検出する装置および波数８５０ｃｍ−１〜７７０ｃｍ−１の赤外線の吸収を検出する装置を有することを特徴とする項１〜９のいずれかに記載の非分散型赤外線シロキサン分析装置。
項１１．  シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、バイオガス中の二酸化濃度及び水分量の少なくとも一方を分析する装置を有することを特徴とする非分散型赤外線シロキサン分析装置。
項１２．  シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、バイオガス中の水分量を一定量にする除湿機を試料ガス導入口の前に装着したことを特徴とする非分散型赤外線シロキサン分析装置。
項１３．  バイオガス中の二酸化炭素濃度を分析する装置を有することを特徴とする項１２に記載の非分散型赤外線シロキサン分析装置。
項１４．  シロキサン含有ガス中のシロキサン濃度を分析する赤外線シロキサン分析装置であって、波数１２５０ｃｍ−１〜７７０ｃｍ−１の赤外線を含む赤外線を通過させる光学フィルターを有すると共に、シロキサンを吸着する吸着材を充填したフィルターを試料ガス導入口の前に装着したことを特徴とする非分散型赤外線シロキサン分析装置。
項１５．  バイオガス中の二酸化炭素濃度及び水分量の少なくとも一方を分析する装置を有することを特徴とする項１４に記載の非分散型赤外線シロキサン分析装置。
項１６．  バイオガス中の水分量を一定量にする除湿機を試料ガス導入口の前に装着したことを特徴とする項１４又は１５に記載の非分散型赤外線シロキサン分析装置。
項１７．  項１〜１６のいずれかに記載の非分散型赤外線シロキサン分析装置を用いてシロキサン含有バイオガス中のシロキサン濃度を連続的にモニタリングすることを特徴とするシロキサンの分析方法。
項１８．  項１０に記載の非分散型赤外線シロキサン分析装置を用いて分析した波数１２５０ｃｍ−１〜７７０ｃｍ−１の赤外線の吸収量および波数８５０ｃｍ−１〜７７０ｃｍ−１の赤外線の吸収量から、シロキサン含有バイオガス中の有機系シロキサン濃度および無機系シロキサン濃度を算出することを特徴とするシロキサンの分析方法。
項１９．  項１〜１６のいずれかに記載の非分散型赤外線シロキサン分析装置において、シロキサン含有バイオガス中のシロキサン濃度の実測値を、同バイオガス中の二酸化炭素濃度及び水分量の少なくとも一方の値により補正することを特徴とするシロキサンの分析方法。
【００１４】
以下、本発明を詳細に説明する。
【００１５】
非分散型赤外線シロキサン分析装置の構成としては、例えば、図１に示すように、光源、チョッパー、試料セル、比較セル、光学フィルター、検出セル、アンプ、演算部および表示部よりなる。光源から放出された赤外線は、回転するチョッパーにより断続光となり、試料セルおよび比較セルを通過した後に、光学フィルターを経て検出セルに入る。試料セルを通過する赤外線が試料ガスによって吸収されると、検出セルに入射する赤外線に光量の差を生じる。検出セルによりその差を検知し、シロキサン濃度を測定する。
【００１６】
比較セルに封入するガスとしては、測定波数に吸収を有しないガスであれば使用できる。好ましくは、窒素、空気、およびシロキサンが入っていないバイオガス等が使用できる。
【００１７】
検出法としては、一般的に使用されている方式が適用できるが、特に検出セルに設けられた薄膜の振動により検出する方法が好ましい。薄膜の振動による検出セルは二部屋よりなり、その間が薄膜により仕切られている。それぞれの部屋に前記試料セルおよび比較セルを通過した赤外線が入射される。それぞれの部屋における赤外線吸収の違いによる薄膜の振動により、シロキサンの濃度を測定することができる。
【００１８】
検出セル中には、基準となるガスが封入されている。基準となるガスとしては、測定波数に吸収を有するものが使用できる。通常は、測定対象のガスであるシロキサンまたは測定対象ガスであるシロキサンの吸収波数にて吸収を有するガス（例えばアンモニア）が封入されている。
【００１９】
光学フィルターとしては、分析対象ガスであるシロキサンの吸収域である１１５０ｃｍ−１〜１０００ｃｍ−１および／または８５０ｃｍ−１〜７７０ｃｍ−１の領域以外の赤外線を通過させないものが好ましい。具体的には、波数１２５０ｃｍ−１〜７７０ｃｍ−１の赤外線のみを通過させる光学フィルターである。波数７７０ｃｍ−１未満の赤外線を吸収するためには、例えばＢａＦ２からなる光学フィルターを用いることができる。波数１２５０ｃｍ−１を超える赤外線を吸収するためには、例えばアンモニア計等に使用されている多層コーティング膜の光学フィルターを用いることができる。
【００２０】
試料ガス中に吸収波数域が測定成分の波数域と一部重なるような成分が含まれるような場合には、必要に応じて、検出セルを通過した後にさらに光学フィルターおよび同様の検出セルを設けて、その影響を受けないようにすることも可能である。
【００２１】
測定波数域の１２５０ｃｍ−１〜７７０ｃｍ−１に吸収を有する浮遊微粒子（例えば、金属酸化物、リン酸等）により分析精度に影響を受けないようにするために、試料ガスから浮遊微粒子を除去するためのガスフィルターを、非分散型赤外線シロキサン分析装置における試料ガス導入口の前に装着してもよい。この試料ガス導入口は、図１において試料セルに試料ガスが矢線で示されるように導入される導入口である。浮遊微粒子除去用ガスフィルターとしては、シリコン系の物質を使用していない一般的なガスフィルターが使用できる。フィルターサイズとしては、１０μｍ以下が好ましく、０．０１〜５μｍがより好ましく、０．０１〜１μｍが特に好ましい。
【００２２】
二酸化炭素を含むバイオガスに含まれるシロキサンを分析する際に、二酸化炭素による干渉の問題が生じるおそれがある。具体的には、校正時の基準ガス中の二酸化炭素の濃度と実測ガス中の二酸化炭素濃度に差がある場合、その差分に応じて測定値の精度が下がる。そこで、同時にバイオガス中の二酸化炭素の濃度を分析することで、シロキサン濃度の実測値を、シロキサンの干渉成分である二酸化炭素の濃度により補正して（基準ガス濃度との差分に対して補正して）、シロキサンの濃度を正確に分析することが可能である。
二酸化炭素濃度を分析する装置の分析法として赤外分析法を用いれば、同一の光源により分析が可能であり好ましい。
【００２３】
水分を含むバイオガスに含まれるシロキサンを分析する際に、水分による干渉の問題が生じるおそれがある。そこで、同時に、バイオガス中の水分の量を分析する、又は、バイオガス中の水分量を除湿機により一定量とすることで、シロキサン濃度の実測値を、シロキサンの干渉成分である水分の量により補正して、シロキサンの濃度を正確に分析することが可能である。
水分を分析する装置所謂水分計としては、一般的に使用されているガス中の水分を測定できる分析計が適用できる。例えば、赤外線、近赤外線方式、半導体センサー方式、誘電率方式およびカールフィッシャー方式等の水分計が使用できる。好ましくは赤外線、近赤外線方式、半導体センサー方式、誘電率方式である。
また、除湿機としては、一般的なものが使用できる。好ましくは、冷却式除湿機である。除湿程度は、ガス中のシロキサンが再凝縮しない程度でればよく、水分露点が０℃から２０℃が好ましく、０℃〜１０℃がより好ましい。また、除湿後の水分露点は分析対象ガスの温度より低いことが好ましい。除湿後の水分露点が分析対象ガス温度より高い場合は、除湿機の手前で水分をバブリングさせることが好ましい。
【００２４】
更に、バイオガス中の水分量を除湿機により一定量とするのに加えて、上述したようにバイオガス中の二酸化炭素濃度を分析することで、シロキサン濃度の実測値を、シロキサンの干渉成分である水分量と二酸化炭素濃度との両方により補正して、シロキサンの濃度をより一層正確に分析することが可能となる。
【００２５】
シロキサンを吸着する吸着材を充填したフィルターを、赤外線シロキサン分析装置における上記試料ガス導入口の前に装着すれば、その状態でより高い精度のゼロ点補正が可能となり、同フィルターを取り外した状態でシロキサンの濃度を正確に分析することが可能な構造を有する赤外線シロキサン分析装置とすることができる。このようにすることにより、二酸化炭素や水分による干渉の影響および各種サイトにおける二酸化炭素や水分の変動による分析精度への影響を抑えることが可能である。吸着材としては、シロキサンを吸着することができる一般的な吸着材が使用できる。吸着材として活性炭を使用する場合には、比表面積が５００〜２４００ｍ２／ｇのものが好ましく、６００〜１８００ｍ２／ｇのものがより好ましい。比表面積が５００ｍ２／ｇ未満のものであると、単位重量当たりの吸着量が小さくなる傾向がある。また、比表面積が２４００ｍ２／ｇを超えるものであると、充填密度が低くなり、単位体積当たりの吸着量が小さくなる傾向がある。また、細孔容積に関しても同じ理由から、０．２〜１．５ｃｍ３／ｇのものが好ましく、０．３〜１．０ｃｍ３／ｇのものがより好ましい。平均細孔径に関しては、７〜２０Åのものが好ましく、８〜１５Åのものがより好ましい。
【００２６】
更に、シロキサンを吸着する吸着材を充填したフィルターを上記試料ガス導入口の前に装着するのに加えて、上述したようにバイオガス中の二酸化炭素濃度及び水分量の少なくとも一方を分析することで、高い精度のゼロ点補正に加えて、シロキサン濃度の実測値に対する水分量又は二酸化炭素濃度の少なくとも一方による補正が可能となり、シロキサンの濃度をより一層正確に分析することが可能となる。
【００２７】
更にまた、シロキサンを吸着する吸着材を充填したフィルターを上記試料ガス導入口の前に装着するのに加えて、上述したように除湿機を試料ガス導入口の前に装着することでも、高い精度のゼロ点補正に加えて、シロキサン濃度の実測値に対する水分量による補正が可能となり、シロキサンの濃度をより一層正確に分析することが可能となる。
【００２８】
また、上述したように、バイオガス中の二酸化炭素濃度及び水分量の少なくとも一方を分析する構成、バイオガス中の水分量を一定量にする除湿機を試料ガス導入口の前に装着する構成、シロキサンを吸着する吸着材を充填したフィルターを試料ガス導入口の前に装着する構成については、上述したように波数１２５０ｃｍ−１〜７７０ｃｍ−１の赤外線のみを通過させる光学フィルターを設けることが好ましいが、別に、上記好適な波数範囲外をも含むような一般的な波数の赤外線、即ち波数１２５０ｃｍ−１〜７７０ｃｍ−１の赤外線を含む赤外線を通過せる光学フィルターを設けた場合でも、シロキサンの濃度を正確に分析することが可能である。
【００２９】
試料セルおよび比較セルを通過した後の赤外線を必要に応じて分割し、波数１２５０ｃｍ−１〜７７０ｃｍ−１の赤外線の吸収を検出する検出セルと波数８５０ｃｍ−１〜７７０ｃｍ−１の赤外線の吸収を検出する検出セルに入射することにより、有機系シロキサンおよび無機系シロキサンの合計のＳｉ−Ｏの振動に由来する波数１２５０ｃｍ−１〜７７０ｃｍ−１の赤外線の吸収量と、有機系シロキサンのＳｉ−Ｃの振動に由来する波数８５０ｃｍ−１〜７７０ｃｍ−１の赤外線の吸収量とを分析することにより、有機系シロキサン濃度および無機系シロキサン濃度をそれぞれ算出することが可能である。すなわち、Ｓｉ−Ｏの振動に由来する波数１２５０ｃｍ−１〜７７０ｃｍ−１の赤外線の吸収量から算出した有機系シロキサンおよび無機系シロキサンの合計濃度から、Ｓｉ−Ｃの振動に由来する波数８５０ｃｍ−１〜７７０ｃｍ−１の赤外線の吸収量から算出した有機系シロキサンの濃度を差し引くことにより、無機系シロキサンの濃度を求めることができる。
【００３０】
本発明の非分散型赤外線シロキサン分析装置（以下、単に「本発明の分析装置」と呼ぶ場合がある。）を、吸着式バイオガス貯蔵装置や吸着式バイオガス精製装置のガス入り口、容器の途中、ガス出口等に設置し、ガス入り口、容器の途中、ガス出口等のガスの一部を本発明の分析装置に導入することにより、リアルタイムにシロキサンの濃度を分析できる。従って、バイオガスを利用したガスエンジンのトラブルを防止することができるとともに、シロキサン吸着除去装置の破過の時期を的確に把握することができる。
【００３１】
ここで、吸着式バイオガス貯蔵装置とは、バイオガス用の活性炭等の吸着材が充填された貯蔵タンクを用いて、発生するバイオガスを吸着貯蔵し、バイオガスの使用時に圧力を低下させて吸着貯蔵されているバイオガスを脱着させて払い出すことのできる貯蔵装置である。本貯蔵装置を用いると、バイオガス中に含まれるシロキサンが吸着除去されるため、従来のようなシロキサンの除去装置を別個に設置する必要がない。本発明の分析装置を設置することにより、バイオガスの貯蔵前後におけるシロキサン濃度を連続的に分析することができ、貯蔵装置のシロキサン除去性能を常に把握できる。
【００３２】
また、吸着式バイオガス精製装置とは、シロキサン含有バイオガスを、多孔質吸着材が充填された充填層に通過させて、多孔質吸着材にシロキサンを吸着させることにより、バイオガス中に含まれるシロキサンを除去して精製ガスを得ることのできる精製装置である。本発明の分析装置を設置することにより、バイオガスの精製前後におけるシロキサン濃度を連続的に分析することができ、精製装置の性能を常に把握でき、精製装置に充填されている吸着材の適切な交換時期が明らかとなる。
【００３３】
本発明の分析装置は、半導体製造工程において発生するシロキサン含有ガス等の分析に用いることもできる。
【発明の効果】
【００３４】
本発明の分析装置を用いれば、バイオガス中のシロキサン濃度を、現場にてリアルタイムに精度よく連続的に分析することができる。
【発明を実施するための最良の形態】
【００３５】
次に、実施例によって本発明をより詳細に説明する。
【００３６】
〔実施例１〕
二酸化炭素３５％＋メタンバランスの混合ガスに所定量の環状のオクタメチルシクロテトラシロキサン（Ｄ４）を混合し、表１の左欄に示す各シロキサン濃度の分析用の標準ガスを作製した。この標準ガスを５００ｍｌ／分の流速で図１に示す非分散型赤外線シロキサン分析装置に導入し、シロキサンの濃度を分析した。その結果を表１の右欄に示す。表１より明らかなように、本発明の非分散型赤外線シロキサン分析装置を用いれば、精度よくシロキサンの濃度を分析できる。
【００３７】
【表１】
2006098387.tif 000003
【００３８】
〔実施例２〕
下水処理場のバイオガスを、シロキサンの吸着材である比表面積１２０７ｍ２／ｇ、細孔容積０．５４１ｃｍ３／ｇ、平均細孔径９Å、粒径０．２１２〜４．７５ｍｍ（メディアン径１．１５ｍｍ）の活性炭を通過させ、シロキサンを完全に吸着除去した後のガスを非分散型赤外線分析のゼロ点ガスとして校正した。その後、バイオガスを５００ｍｌ／分の流速で図１に示す非分散型赤外線シロキサン分析装置に導入し、シロキサンの濃度をリアルタイムに連続分析した。その結果を図２に示す。また、参考のために、溶剤吸収（四塩化炭素とアルカリ水溶液）とＧＣ−ＭＳからなる従来の分析法により、バイオガス中の疎水性のシロキサンと親水性のシロキサンを分析した。その結果、疎水性シロキサンが４．３０ｐｐｍ、親水性シロキサンが０ｐｐｍであった。
【００３９】
図２から明らかなように、吸着材を通過させたバイオガスをゼロ点ガスにすることにより、実際のバイオガスにおいても精度よく分析することが可能である。
【００４０】
〔実施例３〕
下水処理場における水分が飽和状態のバイオガスを、まず除湿機を通して露点が５℃となるように除湿して水分量を一定量にし、その後、そのバイオガスを図１に示す非分散型赤外線シロキサン分析装置に導入し、シロキサンの濃度を分析した。その結果を図３における実施例３−１に示す。
更に、同様の水分が飽和状態のバイオガスを、上記除湿機を通すことなく、直接非分散型赤外線シロキサン分析装置に導入し、シロキサンの濃度を分析した。その結果を図３における実施例３−２に示す。
また、参考のために、参考のために、溶剤吸収（四塩化炭素とアルカリ水溶液）とＧＣ−ＭＳからなる従来の分析法により、バイオガス中のシロキサンを分析した。その結果、有機性のシロキサンの濃度は１．３２ｐｐｍであった。
図３のから明らかなように、バイオガス中の水分量を少なくすれば、水分による干渉が除去されて、比較的精度よくシロキサンの濃度を分析することが可能である。また、実際のシロキサン濃度に対して、実施例３−１及び実施例３−１の実測値が、水分量の応じてシフトしていることから、シロキサン濃度の実測値を、水分量により補正すれば、シロキサンの濃度を正確に分析することが可能である。
【図面の簡単な説明】
【００４１】
【図１】本発明の非分散型赤外線シロキサン分析装置の一例の概略を示す図である。
【図２】実施例２におけるシロキサン濃度と経過時間の関係を示す図である。
【図３】実施例３におけるシロキサン濃度と経過時間の関係を示す図である。
【図１】
2006098387.tif 000004
【図２】
2006098387.tif 000005
【図３】
2006098387.tif 000006